(57)【要約】【課題】乗降時における患者の安全性を高めた歯科治療椅子を提供する。【解決手段】起倒、昇降、傾動の各動作が可能な歯科治療椅子１である。歯科治療椅子の乗降時に患者に把持可能なサポートアーム２０と、サポートアームに取り付けられ、サポートアームへの接触を検知する接触センサ３３と、サポートアームへの接触が検知された際に、歯科治療椅子の各動作を禁止させる制御部４０と、を備える。好ましくは、接触センサがサポートアームの表面に取り付けられ、接触センサから制御部までの信号線がサポートアームの内部に通されている。【選択図】図４
2020044299.tif 000002
【特許請求の範囲】
【請求項１】
起倒、昇降、傾動の各動作が可能な歯科治療椅子であって、
該歯科治療椅子の乗降時に患者に把持可能なサポートアームと、
該サポートアームに取り付けられ、該サポートアームへの接触を検知する接触センサと、
前記サポートアームへの接触が検知された際に、前記歯科治療椅子の各動作を禁止させる制御部と、
を備えることを特徴とする歯科治療椅子。
【請求項２】
前記接触センサが前記サポートアームの表面に取り付けられ、
前記接触センサから前記制御部までの信号線が前記サポートアームの内部に通されていることを特徴とする請求項１に記載の歯科治療椅子。
【請求項３】
前記接触センサが発泡ウレタン製のグリップカバーで覆われていることを特徴とする請求項１または２に記載の歯科治療椅子。
【請求項４】
前記グリップカバーがオレンジ色に着色されていることを特徴とする請求項３に記載の歯科治療椅子。
【発明の詳細な説明】
【技術分野】
【０００１】
本発明は、歯科治療椅子に関し、詳細には、起倒、昇降、傾動の各動作が可能な歯科治療椅子に関する。
【背景技術】
【０００２】
高齢者や身体不自由者は、健常者に比べて、歯科治療椅子に乗り降りする際に不安定な姿勢になりやすい。例えば、特許文献１には、サポートアーム（手摺部材）を搭載した歯科治療椅子の構造が開示されている。サポートアームは患者の体重を支持可能に構成されており、サポートアームを握ることにより、患者は安定した姿勢で乗り降りできる。
【先行技術文献】
【特許文献】
【０００３】
【特許文献１】特開平１１−２２６０６６号公報
【発明の概要】
【発明が解決しようとする課題】
【０００４】
歯科治療椅子には、例えばバックレスト等に、起倒、昇降、傾動の各動作を開始させる操作スイッチを設けたものがある。しかしながら、患者の乗降中に操作スイッチを操作した場合には、歯科治療椅子の動作が開始するので、患者の姿勢が不安定になる。このため、乗降時における患者の安全性を高くすることが望まれる。
【０００５】
本発明は、上述のような実情に鑑みてなされたもので、乗降時における患者の安全性を高めた歯科治療椅子を提供することを目的とする。
【課題を解決するための手段】
【０００６】
上記課題を解決するために、請求項１の発明は、起倒、昇降、傾動の各動作が可能な歯科治療椅子であって、該歯科治療椅子の乗降時に患者に把持可能なサポートアームと、該サポートアームに取り付けられ、該サポートアームへの接触を検知する接触センサと、前記サポートアームへの接触が検知された際に、前記歯科治療椅子の各動作を禁止させる制御部と、を備えることを特徴としている。
【０００７】
請求項２の発明は、請求項１の発明において、前記接触センサが前記サポートアームの表面に取り付けられ、前記接触センサから前記制御部までの信号線が前記サポートアームの内部に通されていることを特徴としている。
【０００８】
請求項３の発明は、請求項１または２の発明において、前記接触センサが発泡ウレタン製のグリップカバーで覆われていることを特徴としている。
【０００９】
請求項４の発明は、請求項３の発明において、前記グリップカバーがオレンジ色に着色されていることを特徴としている。
【発明の効果】
【００１０】
本発明によれば、サポートアームへの接触が検知された場合には椅子の動作を禁止するので、患者の乗降中に、仮に椅子の操作スイッチが操作されたとしても、椅子は動作しない。よって、乗降時における患者の安全性が高い歯科治療椅子を提供することができる。
【図面の簡単な説明】
【００１１】
【図１】本発明の一実施形態の歯科治療椅子を搭載した歯科治療ユニットを説明する斜視図である。
【図２】歯科治療ユニットの平面図である。
【図３】サポートアームの構成図である。
【図４】歯科治療椅子の機能ブロック図である。
【発明を実施するための形態】
【００１２】
以下、図面を参照しながら本発明の歯科治療椅子について説明する。図１は、本発明の一実施形態の歯科治療椅子を搭載した歯科治療ユニットを説明する斜視図であり、図２は、歯科治療ユニットの平面図である。また、図３は、サポートアームの構成図であり、図４は、歯科治療椅子の機能ブロック図である。
【００１３】
図１，２に示すように、歯科治療ユニットは歯科治療椅子１を有し、歯科治療椅子１の側方には、歯科用スピットン２が配置されている。なお、図示は省略するが、歯科治療ユニットは、歯科治療椅子１の周辺に、無影灯や、種々の歯科用インスツルメントがホルダを保持するワークテーブル、フットスイッチ等を備えている。
歯科治療椅子１は、昇降部４によって上下動や傾斜動が可能に構成されている。昇降部４は、基台３上に例えば回転可能に設置され、コンターシート７の下側に連結されている。
【００１４】
コンターシート７の後方には、バックレスト６やヘッドレスト（安頭台）５が設けられている。バックレスト６の側方には、アームレスト８が設けられる。コンターシート７の前方には、レッグレスト９が設けられている。
レッグレスト９の前方には、ステップ１０が設けられており、患者は、ステップ１０の上に乗った後、コンターシート７に腰掛けることができる。このように、本実施形態の歯科治療椅子１は、前方からの乗り降りが容易である。
【００１５】
コンターシート７は基台３に対して上下方向に昇降でき、例えば図４で後述するコンターシート用モータ５３の駆動力で動作する。
バックレスト６はコンターシート７に対して起倒可能に構成され、バックレスト用モータ５２の駆動力で動作する。なお、ヘッドレスト５は、例えば手動でバックレスト６に対して昇降できる。
【００１６】
レッグレスト９はコンターシート７に対して傾動可能に構成されており、レッグレスト用モータ５４の駆動力で動作する。
また、歯科治療椅子１は傾動動作が可能であり、チルト用モータ５１の駆動力により、前方に５°程度傾斜でき（前チルトともいう）、ステップ１０の位置を低くすることが可能である。一方、歯科治療椅子１は、円背の患者の姿勢に合うように、後方に傾斜することもできる（後チルトともいう）。この後チルトもチルト用モータ５１の駆動力で動作可能である。
【００１７】
なお、例えばバックレスト６の側面には、図４に示す操作スイッチ３５が設けられている。操作スイッチ３５の操作によって、上述したコンターシート７の昇降、バックレスト６の起倒、レッグレスト９の傾動等の各動作を実行可能である。
歯科治療椅子１は、乗降時に患者の例えば手で把持されるサポートアーム２０を有する。サポートアーム２０は、歯科治療椅子１の側方に設けられ、図２に示すように、歯科治療椅子１に固定される台座２７に対して回動可能に構成されている。
【００１８】
サポートアーム２０は例えば中空丸棒で形成されたアーム本体２１を有する。アーム本体２１は、上下方向に延びた支柱部２２と、支柱部２２の一端から例えば略水平方向に延びた把持部２３とからなる。把持部２３の表面には、図３で説明する接触センサ３３が設置され、把持部２３の周囲には、例えばオレンジ色に着色された発泡ウレタン製のグリップカバー３４が取り付けられている。グリップカバー３４の直径は、患者が握りやすいように、例えば３５ｍｍ程度に設定されている。
【００１９】
このように、サポートアーム２０に発泡ウレタン製のグリップカバー３４を設ければ、患者が仮に濡れた手で握っても滑りにくくなる。また、グリップカバー３４は容易に変形することから、これまでと同じ握力でもしっかり握ることができる。よって、患者を確実に支えるサポートアーム２０を提供することができる。
また、オレンジ色に着色されたグリップカバー３４は視認性が高い。このため、例えば白内障や緑内障等で視力の低下が予測される患者であっても、サポートアーム２０に容易に気付くことができる。
【００２０】
図３に示すように、接触センサ３３は、例えば帯状に形成され、グリップカバー３４の内側で、アーム本体２１の把持部２３の稜線部分に配置される。接触センサ３３は、例えばテープスイッチであり、上下の電極がゴム等の樹脂で覆われてテープ状に形成されている。患者がグリップカバー３４を握って押圧したときにオンになり、サポートアーム２０への接触を検知できる。なお、図３では、帯状の接触センサ３３の例を挙げて説明したが、線状で形成してもよい。
【００２１】
接触センサ３３に電気的に接続される信号線３３ａは、把持部２３に形成された開口２３ａを介してアーム本体２１の内部を通り、台座２７から歯科治療椅子１内に向かい、図４に示す制御部４０を搭載した基板に接続される。このように、接触センサ３３の信号線３３ａをサポートアーム２０の内部に配置すれば、乗降時に邪魔にならない。制御部４０は、ＣＰＵやメモリ等からなり、メモリの例えばＲＯＭに格納されている各種プログラムやデータをＲＡＭにロードし、各種プログラムを実行することにより、歯科治療ユニットの動作を制御することができる。
【００２２】
図３に示すように、アーム本体２１の支柱部２２の下方には、フランジ部２４が設けられている。フランジ部２４の下面には、支柱部２２と同心で中空形状の軸２５が下方に向けて延びている。また、フランジ部２４の下面には、軸２５よりも外側に１本のピン２６が下方に向けて延びている。ピン２６は軸２５よりも短く形成される。
【００２３】
一方、台座２７は例えば断面Ｕ字状に形成され、Ｕ字状の開口を下方に向けて昇降部４に固定される。台座２７には、フランジ部２４を支持する支持部２８が設置されている。支持部２８やフランジ部２４は、台座２７上で筒体３２内に収納される。
支持部２８は円筒状に形成され、上下で貫通した中央穴２９を有する。中央穴２９にはスリーブ３１が嵌合される。このスリーブ３１には、フランジ部２４の下面に形成された軸２５を挿入可能である。
【００２４】
サポートアーム２０は、グリップカバー３４（把持部２３）の先端がレッグレスト９に向けて延びたポジションＡ（図１，２に実線で示す）と、グリップカバー３４が歯科治療椅子１の前後方向と平行に延びたポジションＢ（図１，２に破線で示す）と、グリップカバー３４の先端がレッグレスト９から離れるように延びたポジションＣ（図１，２に２点鎖線で示す）を採ることができる。サポートアーム２０は、ポジションＡからポジションＢを経由してポジションＣまでの間で回動可能であり、各ポジションＡ、Ｂ、Ｃで固定（ロック）できる。
【００２５】
具体的には、図３に示すように、支持部２８には、中央穴２９の周囲に、ピン２６を挿入可能なピン穴３０Ａ，３０Ｂ，３０Ｃが形成されている。ピン穴３０Ａ，３０Ｂ，３０Ｃは、支持部２８の上面から１段下がった位置で、支持部２８の周方向に沿って設けられている。ピン穴３０Ａ，３０Ｂ，３０Ｃの各位置は、ポジションＡ，Ｂ，Ｃにそれぞれ対応している。
【００２６】
患者がコンターシート７に腰掛けている場合にはポジションＣを選択する。サポートアーム２０を、ピン２６がピン穴３０Ａ（あるいはピン穴３０Ｂ）から抜ける高さまで持ち上げると、サポートアーム２０は、軸２５を回動中心として回動可能になる。そして、サポートアーム２０をポジションＣに回動し、サポートアーム２０を下げてピン２６をピン穴３０Ｃに係合させると、サポートアーム２０がポジションＣの位置にロックされる。
【００２７】
このように、サポートアーム２０がポジションＣでロックされる場合に、例えば操作スイッチ３５を操作すると、制御部４０は、操作スイッチ３５の操作内容に応じた信号をモータ５０に出力し、歯科治療椅子１の起倒、昇降、傾動の各動作が実行される。
【００２８】
これに対し、高齢者や身体不自由者が乗降する場合や車椅子を利用する患者が乗降する場合にはポジションＡあるいはポジションＢを選択する。サポートアーム２０を、ピン２６がピン穴３０Ｃから抜ける高さまで持ち上げた後、ポジションＡ（あるいはポジションＢ）に回動し、サポートアーム２０を下げてピン２６をピン穴３０Ａ（あるいはピン穴３０Ｂ）に係合させると、サポートアーム２０がポジションＡ（あるいはポジションＢ）の位置にロックされる。
【００２９】
そして、グリップカバー３４が握られてサポートアーム２０への接触が検知され、制御部４０が接触センサ３３の検知結果を受け取ると、制御部４０はモータ５０の駆動禁止を決定する。これにより、仮に操作スイッチ３５を操作しても、歯科治療椅子１の各動作、つまり、チルト用モータ５１による歯科治療椅子１の傾動、バックレスト用モータ５２によるバックレスト６の起倒、コンターシート用モータ５３によるコンターシート７の昇降、レッグレスト用モータ５４によるレッグレスト９の傾動等は実行されない。よって、患者が安全に乗り降りできる歯科治療椅子１を提供することができる。
【００３０】
上記実施形態では、接触センサ３３としてテープセンサを一例に挙げて説明したが、本発明の接触センサは、接触を検知可能な構造であればテープ状とは異なる形態であってもよい。
【符号の説明】
【００３１】
１…歯科治療椅子、２…歯科用スピットン、３…基台、４…昇降部、５…ヘッドレスト、６…バックレスト、７…コンターシート、８…アームレスト、９…レッグレスト、１０…ステップ、２０…サポートアーム、２１…アーム本体、２２…支柱部、２３…把持部、２３ａ…開口、２４…フランジ部、２５…軸、２６…ピン、２７…台座、２８…支持部、２９…中央穴、３０Ａ，３０Ｂ，３０Ｃ…ピン穴、３１…スリーブ、３２…筒体、３３…接触センサ、３３ａ…信号線、３４…グリップカバー、３５…操作スイッチ、４０…制御部、５０…モータ、５１…チルト用モータ、５２…バックレスト用モータ、５３…コンターシート用モータ、５４…レッグレスト用モータ。
【図１】
2020044299.tif 000003
【図２】
2020044299.tif 000004
【図３】
2020044299.tif 000005
【図４】
2020044299.tif 000006